(57)【要約】【課題】開閉ドアの細やかな位置制御、速度制御、方向制御に資するため、可変電気抵抗の測定値に基づいて連続的はドア位置情報を入手することができる引き出し式加熱調理器を提供する。【解決手段】加熱室が内部に形成されている筐体から引き出し可能なテーブルの引き出し位置に応じて変化する値を取る可変電気抵抗を備えており、可変電気抵抗を測定することで得られる測定値に対応した変換値として、テーブルの位置情報を得ることができる。変換値は、例えば、変換式、マップ、又は変換テーブルによる変換を採用することが得られるが、必要に応じて補間を行うことによって、テーブルの位置情報を得ることができる。【選択図】図１
2008014569.tif 000002
【特許請求の範囲】
【請求項１】
加熱室が内部に形成されている筐体から引き出し可能なテーブルの引き出し位置に応じて変化する値を取る可変電気抵抗を備え、当該可変電気抵抗の測定値に対応した変換値として前記テーブルの位置情報を取得可能なことから成る引き出し式加熱調理器。
【請求項２】
前記測定値は連続的な値であり、それに対応して前記引き出し式テーブルの位置情報も連続的な値であることから成る請求項１に記載の引き出し式加熱調理器。
【請求項３】
前記可変電気抵抗は、前記テーブルの前記引き出し位置に応じた直線操作量変位に基づいて抵抗値が変化するスライド抵抗であることから成る請求項１又は２に記載の引き出し式加熱調理器。
【請求項４】
前記スライド抵抗の前記抵抗値は、前記テーブルの前記引き出し方向の移動が傾斜ガイドによって当該引き出し方向と直交する左右方向に変換されるスライド体の変位を前記直線操作量変位として、変化することから成る請求項３に記載の引き出し式加熱調理器。
【請求項５】
前記可変電気抵抗は、前記テーブルの前記引き出し位置に応じた回転操作量変位に基づいて抵抗値が変化するボリューム抵抗であることから成る請求項１又は２に記載の引き出し式加熱調理器。
【請求項６】
前記ボリューム抵抗の前記抵抗値は、前記テーブルの前記引き出し方向の移動がラックとそれに噛み合うギアとから成る運動変換機構によって変換される前記ギアの回動変位を前記回転操作量変位として、変化することから成る請求項５に記載の引き出し式加熱調理器。
【請求項７】
前記可変電気抵抗は、前記可変電気抵抗と固定抵抗とが直列に結線される当該結線位置から分電電圧が引き出される電圧分電回路に基づいて測定されることから成る請求項１〜６のいずれか１項に記載の引き出し式加熱調理器。
【発明の詳細な説明】
【技術分野】
【０００１】
この発明は、調理器本体に対して引き出し体を引出し・収容可能であり、収容状態で加熱室の開口部を開閉扉で封鎖可能な引き出し式加熱調理器に関する。
【背景技術】
【０００２】
従来、被加熱物を載置可能な引き出し体を開閉扉と共に調理器本体に対して引き出し可能であり引き出し体を調理器本体内の加熱室内に収容する収容状態では加熱室の開口部を開閉扉で閉鎖可能な引き出し式加熱調理器が提案されている（特許文献１、特許文献２）。この種の引き出し式加熱調理器においては、被加熱物を収容する調理室（加熱室）を有する機器本体（調理器本体）と、調理室を外気から遮断する開閉扉と、この開閉扉と連動する底板或いは被調理物を載置可能な加熱容器（引き出し体）とを備えている。より詳細には、底板或いは加熱容器はスライド機構によって円滑にスライドされ、モータの回転出力がラック・ピニオン機構のような伝達手段を介してスライド機構に伝達されることにより、底板或いは加熱容器を機器本体に対して引き出し又は収容方向に移動させることができる。底板或いは加熱容器が機器本体に収容された状態では、開閉扉は調理室を外気から遮断する。特許文献２に記載の加熱調理器は、上部に開口が形成されて調理器本体から引き出し可能な加熱容器の前記開口を蓋部で覆うことで、マイクロ波を閉じ込める加熱室を形成し、加熱容器の開口周縁部と蓋部との間にチョーク溝を設けることで、電波の漏れを防止している。
【０００３】
しかしながら、上記の従来の引出し式加熱調理器の自動開閉扉機構については、開閉扉の開閉を自動的に且つ徐々に開成することができ、開閉の操作性が改善されてはいるが、自動開閉を意識して操作した人のみが開閉扉の開閉を認識することができるものである。キッチンに居る他の人は、そうした開閉扉の開閉操作が行われていることは一般には認識できず、例えば、開閉扉を閉めるときに開閉扉に挟まれる、あるいは開閉扉が開かれるときにぶつかるなどの危険性がある。設置場所やユーザーのライフスタイルのような使用条件、あるいは被加熱物のサイズ、溢れやすさ等の被加熱物の特性によって、開閉扉に求められる必要な開閉距離及び開閉速度が異なっている。
【０００４】
従来、引き出し式テーブルを有する電子レンジにおいて、何カ所かに設けたドアスイッチの入力信号により、テーブルの位置を認識して速度制御、開閉方向の制御を行っていた。このようなドアスイッチのみの情報では、ドア開・ドア閉等、スイッチを配置したところでのみしか位置情報を得ることができない。その結果、ドアが閉じるときに筐体とドアとの間に指が挟まれる、所謂、指詰め等の問題に対して、細やかな速度制御・方向制御が期待されている。
【特許文献１】特開平３−４５８２０号公報（第２頁下左欄第６行〜第３頁上右欄第１６行、図１〜図）
【特許文献２】特開平１１−２３７０５３号公報（段落［００２９］〜［００３２］、図１）
【発明の開示】
【発明が解決しようとする課題】
【０００５】
そこで、引き出し式加熱調理器において、開閉ドアの細やかな位置制御、速度制御、方向制御に資するため、可変電気抵抗の測定値に基づいて連続的なドア位置情報を入手する点で解決すべき課題がある。
【０００６】
この発明の目的は、連続的なドア位置情報を入手して、開閉ドアの細やかな位置制御、速度制御、方向制御に資する引き出し式加熱調理器を提供することである。
【課題を解決するための手段】
【０００７】
上記の課題を解決するため、この発明による引き出し式加熱調理器は、加熱室が内部に形成されている筐体から引き出し可能なテーブルの引き出し位置に応じて変化する値を取る可変電気抵抗を備え、当該可変電気抵抗の測定値に対応した変換値として前記テーブルの位置情報を取得可能なことから成っている。
【０００８】
この引き出し式加熱調理器によれば、加熱室が内部に形成されている筐体から引き出し可能なテーブルの引き出し位置に応じて変化する値を取る可変電気抵抗を備えており、可変電気抵抗を測定することで得られる測定値に対応した変換値として、テーブルの位置情報を得ることができる。変換値は、例えば、変換式、マップ、又は変換テーブルによる変換を採用することが得られるが、必要に応じて補間を行うことによって、テーブルの位置情報を得ることができる。
【０００９】
この引き出し式加熱調理器において、前記測定値は連続的な値であり、それに対応して前記引き出し式テーブルの位置情報も連続的な値であるとすることができる。可変電気抵抗の測定を連続的な測定値が得られるように行うことで、その測定値の変換値として、引き出し式テーブルの位置情報も連続的な位置情報として得ることができる。
【００１０】
引き出し式加熱調理器において、前記可変電気抵抗は、前記テーブルの前記引き出し位置に応じた直線操作量変位に基づいて抵抗値が変化するスライド抵抗とすることができる。スライド抵抗は、その操作部が直線操作量変位をする形式の抵抗である。テーブルの引き出し位置に応じて直線操作量変位を対応させ、その直線操作量変位に基づいて変化するスライド抵抗の抵抗値を測定することで、引き出し式テーブルの位置情報が得られる。スライド抵抗は、引き出し式テーブルの側面又は底面部分に取り付け可能である。テーブルの開閉動作に連動してスライドも動くような構造を有しているので、その抵抗値を基板に入力し、分割電圧値によって、テーブルの位置情報を得ることができる。
【００１１】
可変電気抵抗をスライド抵抗とした引き出し式加熱調理器において、前記スライド抵抗の前記抵抗値については、前記テーブルの前記引き出し方向の移動が傾斜ガイドによって当該引き出し方向と直交する左右方向に変換されるスライド体の変位を前記直線操作量変位として、変化させることができる。テーブルの引き出し量は、全閉から全開まで相当の距離となるが、傾斜ガイドで変換割合を考慮して変換することによって、スライド抵抗においてスライド体の直線操作量変位を所定の範囲内に納めることができる。
【００１２】
引き出し式加熱調理器において、前記可変電気抵抗は、前記テーブルの前記引き出し位置に応じた回転操作量変位に基づいて抵抗値が変化するボリューム抵抗とすることができる。ボリューム抵抗は、その操作部が回転操作量変位をする形式の抵抗である。テーブルの引き出し位置に応じて回転操作量変位を対応させ、その回転操作量変位に基づいて変化するボリューム抵抗の抵抗値を測定することで、引き出し式テーブルの位置情報が得られる。本発明で使用するボリューム抵抗は、回転操作量変位に比例して抵抗値が変化する特性を有することが好ましい。
【００１３】
可変電気抵抗をボリューム抵抗とした引き出し式加熱調理器において、前記ボリューム抵抗の前記抵抗値については、前記テーブルの前記引き出し方向の移動がラックとそれに噛み合うギアとから成る運動変換機構によって変換される前記ギアの回動変位を前記回転操作量変位として、変化させることができる。テーブルの引き出し量は、全閉から全開まで相当の距離となるが、運動変換機構によって直線を回転に変換することによって、ボリューム抵抗において操作部の回転操作量変位として取り出すことができる。ギアとしては、テーブル開閉に用いる回転ギアとすることができる。可変電気抵抗は、その回転ギアに連動して回転するボリューム抵抗を使用することができる。ボリューム抵抗の抵抗値を基板に入力し、分割電圧値によってテーブルの位置情報が得られる。
【００１４】
引き出し式加熱調理器において、前記可変電気抵抗は、前記可変電気抵抗と固定抵抗とが直列に結線される当該結線位置から分割電圧が引き出される電圧分割回路に基づいて測定することができる。可変電気抵抗を基板の固定抵抗と直列に結線し、その結線位置から分割電圧を取り出すことによって、可変電気抵抗に電圧変動が生じた場合でも、按分により、安定した分割電圧を得ることができる。
【発明の効果】
【００１５】
この発明による引き出し式加熱調理器は、上記のように構成されているので、テーブルの位置情報を電気抵抗値として正確にＬＳＩ（Ｌａｒｇｅ  Ｓｃａｌｅ  Ｉｎｔｅｇｒａｔｉｏｎ）が認識することができる。したがって、テーブル位置に適当となる位置制御、速度制御、方向制御等を行い、特に急激な速度変化を伴わない速度制御を行うことができる。スープ等のこぼれやすい物の調理の場合には、開閉速度を特に慎重に制御すること、及び開閉扉が閉じる際の指詰めが生じにくいように閉じる間際で段階的に速度を落としていくことも可能になる。
【発明を実施するための最良の形態】
【００１６】
以下、添付した図面に基づいて、この発明による引き出し式加熱調理器の実施形態を説明する。図１はこの発明による引き出し式加熱調理器の概略を示す図であって、（ａ）は側面断面図、（ｂ）は（ａ）におけるＡ−Ａ断面図である。図２はスライド抵抗を測定するための一例としての電圧分割回路図である。
【００１７】
図１に示す引き出し式加熱調理器１によれば、筐体２は、図１（ａ）に示す上壁部３、底壁部４及び奥壁部５と、（ｂ）に示すように二つの対向する側壁部６，７とを備えており、筐体２の内部にはこれらの壁部３〜７で囲まれた加熱室８が形成されている。加熱室８の前方は、開口部９として開いている。加熱室８の内部には、引き出し式テーブル１０が開口部９を通して前後方向に出し入れ可能である。
【００１８】
引き出し式テーブル１０は、食品のような被調理物Ａが容器Ｂに収容された状態で載置可能なテーブル部１１と、テーブル部１１と一体的に取り付けられた開閉扉１２とを備えている。テーブル部１１は、開閉扉１２とともに被調理物Ａと容器Ｂとを囲む周壁部分１３を備えている。また、引き出し式テーブル１０を筐体２に対して滑らかに出し入れするために、引き出し式テーブル１０の周壁部分１３と筐体２の少なくとも両側壁部６，７との間には入れ子式のスライド機構１４，１４が設けられている。筐体２には、加熱室８内にマイクロ波を供給するマグネトロンのような加熱手段が備えられているが、これらについては図示を省略してある。また、筐体２の前壁部、或いは開閉扉１１には、引き出し式テーブル１０の開閉動作、或いは調理メニューの設定のための各種操作部が配置されているが、これらについても、図示を省略する。
【００１９】
引き出し式テーブル１０が加熱室８内に収容された状態では、開閉扉１２は開口部９を封鎖して加熱室８からのマイクロ波の漏れを防止している。引き出し式テーブル１０を加熱室８から引き出した状態では、引き出し式テーブル１０の開放状態にある上部空間を通して、被調理物Ａと容器Ｂとをテーブル部１１に対して出し入れすることができる。
【００２０】
図１に示す実施形態では、引き出し式テーブル１０のテーブル部１１の底面１１ａ側と筐体２の底壁部４との間に可変電気抵抗としてのスライド抵抗２０が設けられている。具体的には、筐体２の底壁部４の上面に、引き出し式テーブル１０の引き出し方向と直交する左右方向にのみ移動可能な操作部としてのスライド体２１が設けられている。スライド体２１の上部には、引き出し式テーブル１０側に設けられる傾斜ガイド（詳細は後述）２３に係合可能な突起部２２を備えている。
【００２１】
引き出し式テーブル１０のテーブル部１１の底面１０ａには、等間隔に離れた一対のガイドバー２４，２４から構成された傾斜ガイド２３が設けられている。傾斜ガイド２３は、引き出し式テーブル１０の移動方向に対して角度θで傾斜している。傾斜ガイド２３においては、ガイドバー２４，２４間に形成される溝部２５が下方に開いて形成されており、スライド体２１の突起部２２が溝部２５に嵌まり込んでいる。
【００２２】
したがって、引き出し式テーブル１０を引き出し又は押し込む際に前後方向に移動させると、突起部２２が傾斜ガイド２３に係合しているので、スライド体２１が筐体２の底壁部４において左右方向に変位する。図示の角度θの設定により、引き出し式テーブル１０の大きな引き出し量をより小さい変位量に比例的に変換することができる。スライド体２１のこの左右方向の変位は、スライド抵抗２０において抵抗値を連続的に変更させる。
【００２３】
図２に示されている電圧分割回路３０は、スライド抵抗２０と基板上の固定抵抗３１とが直列に接続されており、両抵抗の接続点の電圧が両抵抗２０，３１の抵抗値に応じて按分されて、ＬＳＩ入力に取り出される。スライド抵抗２０は、上記のとおり、引き出し式テーブル３の引き出し量に応じて連続的に可変であるので、ＬＳＩ入力に取り出される分割電圧も引き出し式テーブル３の引き出し量に応じて連続的に変化する。分割電圧は、スライド抵抗２０と固定抵抗３１とが直列に配置されて按分されるので、スライド抵抗２０に変動が生じても、分割電圧は変動が緩和される。したがって、この分割電圧を測定することによって、測定値を変換することによって、引き出し式テーブル１０引き出し量、即ち、引き出し式テーブル１０の位置情報を知ることができる。
【００２４】
上記の実施形態では引き出し式テーブル１０の底面にスライド抵抗が設けられていたが、スライド抵抗２０の設置位置については、筐体２の底壁部４に限ることなく、スライド機構１４，１４に関連してスライド抵抗を設けてもよい。
【００２５】
次に、図３を参照してこの発明による引き出し式加熱調理器の別の実施形態を説明する。図３はこの発明による引き出し式加熱調理器の概略を示す側面断面図である。図３に示す実施形態においては、図１に示す実施形態のものと同等の要素及び部位には同じ符号を付すことによって、再度の説明を省略する。
【００２６】
図３に示す引き出し式加熱調理器４０は、図１に示す実施形態に用いられているスライド抵抗の代わりにボリューム抵抗を利用するものである。引き出し式加熱調理器４０は、筐体２の側壁側に運動変換機構４１を備えている。運動変換機構４１は回転ギア４２を備え、回転ギア４２はその回転面が筐体２の側壁に平行、即ち、引き出し式テーブル１０の移動方向と平行になるように配置されている。
【００２７】
一方、引き出し式テーブル１０の周壁部分１３には、ラック４３が引き出し方向と平行になって延びる態様で取り付けられている。ラック４３は、引き出し式テーブル１０の全閉から全開の範囲に渡って回転ギア４２と常に噛み合うように配置されている。したがって、引き出し式テーブル１０を引き出すと、その引き出しに応じて回転ギア４２が回転することになる。なお、回転ギア４２は、ラック４３に出力して引き出し式テーブル１０を開閉駆動する駆動ギアとすることができる。
【００２８】
回転ギア４２には、可変電気抵抗としてのボリューム抵抗４４が接続されているので、回転ギア４２の回転に応じてボリューム抵抗４４の抵抗値が連続的に変化する。ボリューム抵抗４４は、信号線４５を通じて基板へ接続されている。ボリューム抵抗４４は、図２に示す分割回路において、スライド抵抗２０の代わりに適用される。したがって、ＬＳＩ入力される分割電圧を測定することによって引き出し式テーブル１０の引き出し量、即ち、引き出し式テーブル１０の連続的な位置情報を知ることができる。なお、筐体２と引き出し式テーブル１０との間で、回転ギア４２とラック４３との配置は逆でも構わないことは明らかである。
【００２９】
また、ボリューム抵抗に代えて、エンコーダ等を利用して回転ギアと連動させる構造にし、図２と同様の回路によって電圧分割をし、連続的な位置情報を掴むこともできる。このように、本発明による引き出し式加熱調理器によれば、確かで連続的なテーブルの位置情報から、引き出し式テーブルの開閉速度、開閉方向の制御をより細かく行うことが可能となる。
【図面の簡単な説明】
【００３０】
【図１】この発明による引き出し式加熱調理器の概略を示す図。
【図２】電圧分割回路の一例を示す回路図。
【図３】この発明による引き出し式加熱調理器の概略を示す側面断面図。
【符号の説明】
【００３１】
１  引き出し式加熱調理器            ２  筐体
３  上壁部                          ４  底壁部
５  奥壁部                          ６，７  側壁部
８  加熱室                          ９  開口部
１０  引き出しテーブル
１１  テーブル部                    １１ａ  底面
１２  開閉扉                        １３  周壁部分
１４  スライド機構
２０  スライド抵抗                  ２１  スライド体
２２  突起部
２３  傾斜ガイド                    ２４，２４  ガイドバー
２５  溝部
３０  電圧分割回路                  ３１  固定抵抗
θ  角度
４０  引き出し式加熱調理器          ４１  運動変換機構
４２  回転ギア                      ４３  ラック
４４  ボリューム抵抗                ４５  信号線
Ａ  被調理物                        Ｂ  容器
【図１】
2008014569.tif 000003
【図２】
2008014569.tif 000004
【図３】
2008014569.tif 000005